(57)【要約】【課題】二重構造にしない１ピースからなり、電球を確実に固定しうる電球用包装箱を提供する。【解決手段】展開状態で一枚のシートからなる蓋面部２２と２フラップ２０，２１と４側面部３，４，５，６と４底面部１３，１４，１５，１６からなる四角柱の電球用包装箱１において、該包装箱１に電球Ｅｂ１の口金部を上にして入れ、一方のフラップ部２０の先端を縦に二分割して立てない面２６と立てる面２７にし、立てない面２６で口金部を横から押さえ、立てる面２７は横方向の中間折目Ｑ１を介し外側に折曲して立てた先端２７ａを他方のフラップ部２１や蓋面部２２で上から押さえ、両面２６，２７で電球Ｅｂ１を固定するようにした電球用包装箱１を構成するものである。【選択図】　　　図３
2004051222.tif 000002
【特許請求の範囲】
【請求項１】
展開状態で一枚のシートからなる蓋面部と２フラップと４側面部と４底面部からなる四角柱の電球用包装箱において、該包装箱に電球の口金部を上にして入れ、一方のフラップ部の先端を縦に二分割して立てない面と立てる面にし、立てない面で口金部を横から押さえ、立てる面は横方向の中間折目を介し外側に折曲して立てた先端を他方のフラップ部や蓋面部で上から押さえ、両面で電球を固定するようにしたことを特徴とする電球用包装箱。
【請求項２】
立てない面の先端に、取出し用の指差し込み凹状弧面を削成した請求項１記載の電球用包装箱。
【請求項３】
蓋面部の中央に、切込み線と折目で把手面を設け、該把手面に吊り下げ用の穴を穿設した請求項１記載の電球用包装箱。
【請求項４】
側面部の一端に糊代片部を、底面部の対応する２面に貼合片部を設け、予め貼着して組立途中の状態にし、ワンタッチで組立てうるようにした請求項１記載の電球用包装箱。
【発明の詳細な説明】
【０００１】
【発明の属する技術分野】
本発明は、割れ易い電球用の包装箱に係るもので、一枚のシートからなり、クッション材を必要としないで、確実に電球を把持しうるようにした包装箱に関するものである。
【０００２】
【従来の技術】
従来の包装用箱は、割れ易いガラス球等の包装物を衝撃から保護するために、包装物との間にクッション材を充填していた。しかし、包装用箱とは別にクッション材を充填することは手間であり、包装コストも高くつき、作業が自動化できない嫌いがあつた。
【０００３】
そのため展開した状態で一枚のシート（１ピース）からなり、折目に副って組立てた際に、二重構造になる紙製の包装用箱が提案されている。特開平８−１０４３１７号公報は、割れ易いアンプル等をクッション性の充填材なしで収容しうるように、二重構造にした包装用箱を提案している。しかし、上記公報の二重構造を備えた包装用箱は、全体が二重になって減量化されたものではなかった。
【０００４】
例えば、包装物が電球の場合、一旦丸筒状の包装紙で被覆し、更に箱詰め乃至仕切り箱にて包装するのは、二重の手間が必要となる。包装箱全体を二重にしないで省資源化と作業効率のよいものが望まれ、それには電球を如何にして固定させるかが問題である。
【０００５】
【発明が解決しようとする課題】
上記の事情に鑑み、本発明は、二重構造にしない１ピースからなり、電球を確実に固定しうる電球用包装箱の提供を課題とする。
【０００６】
【課題を解決するための手段】
本発明は、上記目的を達成するために、展開状態で一枚のシートからなる蓋面部と２フラップと４側面部と４底面部からなる四角柱の電球用包装箱において、該包装箱に電球の口金部を上にして入れ、一方のフラップ部の先端を縦に二分割して立てない面と立てる面にし、立てない面で口金部を横から押さえ、立てる面は横方向の中間折目を介し外側に折曲して立てた先端を他方のフラップ部や蓋面部で上から押さえ、両面で電球を固定するようにした電球用包装箱を構成するものである。
【０００７】
【発明の実施の態様】
以下、本発明の実施例を図面に基づいて詳しく説明する。図１は本発明の包装箱の一実施例を示す展開図、図２は同包装箱の折り畳まれた状態を示す正面図である。図３は同包装箱の一方のフラツプ部で電球を横から押さえ、蓋面部と他方のフラツプは開いた状態を示す俯瞰斜視図である。
【０００８】
本発明の包装箱１は、展開状態で一枚のシート２の１ピースからなっている。このシート２は、図１で、左の右側面部３から始まり、折目Ａ１，Ｂ１，Ｃ１，Ｄ１を介して、前側面部４，左側面部５，後側面部６からなる４側面部と糊代片部７を連接している。
【０００９】
また各側面部３，４，５，６の下方には、折目Ｅ１，Ｆ１，Ｇ１，Ｈ１を介して台形状の右底面部１３，前底面部１４，左底面部１５，後底面部１６からなる４底面部を連接している。そして、前底面部１４と対応する後底面部１６には、外向きに折曲される折目Ｉ１，Ｊ１を介して右貼合片部１８，左貼合片部１９を連接している。
【００１０】
一方右側面部３の上方には、折目Ｋ１を介して本発明の一方フラップ部となる右フラップ部２０を連接している。また左側面部５の上方には、折目Ｌ１を介して左フラップ部２１との２フラップ部を連接している。そして後側面部６の上方には、折目Ｍ１を介して蓋面部２２を、さらに折目Ｎ１を介して差込片部２３を連接している。また蓋面部２２の中央には、切込み線Ｏ１と外向きに折曲される折目Ｐ１で把手面２４を設け、該把手面２４に吊り下げ用の穴２５を穿設している。
【００１１】
ところで、本発明の一方フラップ部となる右フラップ部２０の上方先端には、外向きに折曲される折目Ｑ１を介して縦に二分割し、立てない面２６と立てる面２７を連接している。また立てない面２６の先端には、図３の被包装物からなる電球Ｅｂ１を取出しやすくするための指差し込み用の凹状弧面２８と電球Ｅｂ１の口金に係合する凹状弧面３０を削成している。
【００１２】
また、本発明の包装箱１は、またワンタッチで組立てうるようになっている。即ち折目Ｉ１の位置で右貼合片部１８を外側に折り返えし、右貼合片部１８の裏面を右底面部１３の表面に糊着する。同様に折目Ｊ１の位置で左貼合片部１９を外側に折り返し、左貼合片部１９の裏面を左底面部１５の表面に、また糊代片部７の表面と所定位置である右側面部３の裏面に貼着する。
【００１３】
このようにして貼着済みの包装箱１は、図２のように、折目Ｅ１，Ｆ１等を内側に、折目Ｃ１，Ａ１も内側に折り畳んだ組立途中の状態２９で納入される。そのため、折目Ｂ１等を内側に折り曲げて開くと、４底面部１３，１４，１５，１６は、図３のように押し下げられて底面を形成し、包装箱１はワンタッチで組立てられる。
【００１４】
図３のように、組立てられた包装箱１内に、電球Ｅｂ１の口金部を上にして入れる。そして、一方のフラップ部となる右フラップ部２０を、傾斜する迄押し込むと、折目Ｑ１は外向きに折曲するので、縦に二分割した先端の、立てない面２６で口金部を横から押さえるので、電球Ｅｂ１は図３の場合、奥の方へと傾いて固定される。一方、立てる面２７は、口金部によって先端２７ａが立たされる。この立てる面２７の先端２７ａを、他方のフラップ部である左フラップ部２１を当て、蓋面部２２で上から押さえれば、両面２６，２７で電球Ｅｂ１を確実に固定することができる。そして必要に応じて、把手面２４を立てて、吊り下げるようにしてもよい。なお、電球Ｅｂ１を取り出す際には、指を凹状弧面２８に差し込んで立てると、取出しが容易である。
【００１５】
次に本発明の他の実施例を図面に基づいて詳しく説明する。図４は本発明の包装箱の一実施例を示す展開図、図５は同包装箱の折り畳まれた状態を示す正面図である。図６は同包装箱の一方のフラツプ部で電球を横から押さえ、蓋面部と他方のフラツプは開いた状態を示す俯瞰斜視図である。
【００１６】
本発明の包装箱１０１は、展開状態で一枚のシート１０２の１ピースからなっている。このシート１０２は、図４で、左の右側面部１０３から始まり、折目Ａ２，Ｂ２，Ｃ２，Ｄ２を介して、前側面部１０４、左側面部１０５、後側面部１０６からなる４側面部と糊代片部１０７を連接している。
【００１７】
また、各側面部１０３，１０４，１０５，１０６の下方には、折目Ｅ２，Ｆ２，Ｇ２，Ｈ２を介して台形状の右底面部１１３、前底面部１１４、左底面部１１５、後底面部１１６からなる４底面部を連接している。そして前底面部１１４と対応する後底面部１１６には、外向きに折曲される折目Ｉ２，Ｊ２を介して右貼合片部１１８，左貼合片部１１９を連接している。
【００１８】
一方、左側面部１０５の上方には、折目Ｋ２を介して本発明の一方フラップ部となる左フラップ部１２０を連接している。また右側面１０３の上方には、折目Ｌ２を介して右フラップ部１２１との２フラップ部を連接している。そして後側面部１０６の上方には、折目Ｍ２を介して蓋面部１２２を、更に折目Ｎ２を介して差込片部１２３を連接している。また蓋面部１２２の中央には、切込み線Ｏ２と外向きに折曲される折目Ｐ２で把手面１２４を設け、該把手面１２４に吊り下げ用の穴１２５を穿設している。
【００１９】
ところで、本発明の一方フラップ部となる左フラップ部１２０の上方先端には、外向きに折曲される折目Ｑ２を介して縦に二分割し、立てない面１２６と立てる面１２７を連接している。
【００２０】
また、本発明の包装箱１０１は、またワンタッチで組立てうるようになっている。即ち折目Ｉ２の位置で右貼合片部１１８を外側に折り返えし、右貼合片部１１８の裏面を右底面部１１３の表面に糊着する。同様に折目Ｊ２の位置で左貼合片部１１９を外側に折り返し、左貼合片部１１９の裏面を左底面部１１５の表面に、また糊代片部１０７の表面と所定位置である右側面部１０３の裏面に貼着する。
【００２１】
このようにして、貼着済みの包装箱１０１は、図５のように、折目Ｅ２，Ｆ２等を内側に、折目Ｃ２，Ａ２も内側に折り畳んだ組立途中の状態１２９で納入される。そのため、折目Ｂ２等を内側に折り曲げて開くと、４底面部１１３，１１４，１１５，１１６は、図６のように押し下げられて底面を形成し、包装箱１０１はワンタッチで組立てられる。
【００２２】
図６のように、組立てられた包装箱１０１内に、電球Ｅｂ２の口金部を上にして入れる。そして、一方のフラップ部となる左フラップ部１２０を、傾斜する迄押し込むと、折目Ｑ２は外向きに折曲するので、縦に二分割した先端の、立てない面１２６で口金部を横から押さえるので、電球Ｅｂ２は図６の場合、奥の方へと傾いて固定される。一方、立てる面１２７は、口金部によって先端１２７ａが立たされる。この立てる面１２７の先端１２７ａを、他方のフラップ部である右フラップ部１２１を当て、蓋面部１２２で上から押さえれば、両面１２６，１２７で電球Ｅｂ２を確実に固定することができる。そして必要に応じて、把手面１２４を立てて、吊り下げるようにしてもよい。
【００２３】
【発明の効果】
本発明の包装箱は、二重構造にしない１ピースからなり、フラップ部によって押圧することにより、電球を確実に固定させることができる。
【００２４】
本発明の包装箱は、外部からの衝撃に対して被包装物の電球を安全に保護することができる。
【００２５】
本発明の包装箱は、１ピースからなり、しかも予め貼着を済ませた組立途中の状態で納入され、ワンタツチで組立てることができるので、省資源化と作業効率とともに、包装コストが安価になった。
【図面の簡単な説明】
【図１】本発明の包装箱の一実施例を示す展開図である。
【図２】図１の包装箱の折り畳まれた状態を示す正面図である。
【図３】図１の包装箱の一方のフラツプ部で電球を横から押さえ、蓋面部と他方のフラツプは開いた状態を示す俯瞰斜視図である。
【図４】本発明の包装箱の別の実施例を示す展開図である。
【図５】図４の包装箱の折り畳まれた状態を示す正面図である。
【図６】図４の包装箱の一方のフラツプ部で電球を横から押さえ、蓋面部と他方のフラツプは開いた状態を示す俯瞰斜視図である。
【符号の説明】
１　　，１０１　：　包装箱
２　　，１０２　：　シート
３　　，１０３　：　右側面部
４　　，１０４　：　前側面部
５　　，１０５　：　左側面部
６　　，１０６　：　後側面部
７　　，１０７　：　糊代片部
１３　，１１３　：　右底面部
１４　，１１４　：　前底面部
１５　，１１５　：　左底面部
１６　，１１６　：　後底面部
１８　，１１８　：　右貼合片部
１９　，１１９　：　左貼合片部
２０　　　　　　：　一方の右フラップ部
１２０　　　　　：　一方の左フラップ部
２１　　　　　　：　他方の左フラップ部
１２１　　　　　：　他方の右フラップ部
２２　，１２２　：　蓋面部
２３　，１２３　：　差込片部
２４　，１２４　：　把手面
２５　，１２５　：　吊り下げ用の穴
２５　，１２５　：　組立途中の状態
２６　，１２６　：　立てない面
２７　，１２７　：　立てる面
２７ａ，１２７ａ：　立てる面の先端
２８　　　　　　：　指差し込み用の凹状弧面
２９　，１２９　：　組立途中の包装箱
３０　　　　　　：　凹状弧面
Ａ１，Ａ２，Ｂ１，Ｂ２，Ｃ１，Ｃ２，Ｄ１，Ｄ２，Ｅ１，Ｅ２，Ｆ１，Ｇ１，Ｈ１，Ｉ１，Ｊ１，Ｊ２，Ｋ１，Ｋ２，Ｌ１，Ｌ２，Ｍ１，Ｍ２，Ｎ１，Ｎ２，Ｐ１，Ｐ２，Ｑ１，Ｑ２　：　折目
Ｏ１，Ｏ２　　　：　切り込み線
Ｅｂ１，Ｅｂ２　　：　被包装物の電球
【図１】
2004051222.tif 000003
【図２】
2004051222.tif 000004
【図３】
2004051222.tif 000005
【図４】
2004051222.tif 000006
【図５】
2004051222.tif 000007
【図６】
2004051222.tif 000008